(57)【要約】
【課題】　伝送を安定させ、使用上の便利性を高めるべく、光学マウスの構造を提供する。
【解決手段】上蓋１１と底部１２による外殻１、並びに該外殻１内に固定される回路板２、及び該底部１２に設置されるレンズセット３により構成し、該底部１２上には穿孔１２１を設け、該回路板２には受信部２１１を具有する探知器２１を設け、該探知器２１の片端へVCSEL２２を隣接して設け、該底部１２へ設けるレンズセット３は凸レンズ３１を有しており、該凸レンズ３１の隣接する個所へ屈折部３２１への通り道３２を設け、該凸レンズ３１上下両端面はそれぞれ該受信部２１１と穿孔１２１に対応させ、該通り道３２の片端はVCSEL２２に対応させ、該VCSEL２２が発射されて屈折した後の光源を更に集中させる。　
【選択図】　　図１
0003099327.tif 000002
【実用新案登録請求の範囲】
【請求項１】
　外殻と回路板とレンズセットとにより構成される光学マウスの構造において、
　上蓋と穿孔が設けられた底部とから構成される該外殻と、
　該外殻内に固定されており、該穿孔に対応した受信部を具有する探知器が設けられており、該探知器の片側に設けるVCSEL（Vertical　Cavity　Surface　Emitting　Laser）が隣接して設けられている回路板と、
　該外殻の底部上に設置されており、且つ上下両端面はそれぞれ該探知器の受信部と穿孔と相対した状態を呈しており、且つVCSELを設け、凸レンズを具有するレンズセットと、
　該凸レンズに隣接し、中央部へ屈折部を設け、且つ片端はVCSELと相対した状態を呈する通り道と、
　を具有することを特徴とする光学マウスの構造。
【請求項２】
　前記レンズセットと穿孔間へ阻隔層を設けることを特徴とする請求項１記載の光学マウスの構造。
【請求項３】
　前記阻隔層はガラス素材であることを特徴とする請求項１記載の光学マウス。
【考案の詳細な説明】
【技術分野】
【０００１】
　本考案は光学マウスの構造改良に係り、特にレザー光源における極性を具有する光の特性に併せてレンズセットを利用することにより、発射されて屈折した後の光源を更に集中させることで使用効果の更に優れた光学マウスの構造改良に関わる。
【背景技術】
【０００２】
　公知におけるマウスは上蓋と底部の組合せによる外殻を含み、該外殻底部には孔が設けられているものが主流であり、このような公知におけるマウスの内部構造は、該底部上には回路板が設けられて該回路板上には該底部の孔に対応した軌道モジュールが設けられており、該軌道モジュール内にはボールが設けられており、該回路板には導線が連結されており、該導線のもう一端に設けたアダプタでコンピュータに連結できるようになっている。該ボールが回転することによって該軌道モジュールを制御し、ポインタの位置でクリックされると信号がコンピュータのホストに伝送される仕組みである。
【０００３】
　しかし上述のようなマウスにおける欠点には、まずボールが卓上などにて転がることから塵や埃が内部構造に入り込みやすく、結果として接触不良を招きやすいことが言える。よって上述のような欠点を解決するべく既に光学マウスが開発されているが、これは底部、上蓋、回路板より構成されるものであり、該回路板は該底部に固定されており、該回路板と該底部の中央箇所にはスロットがもうけられており、該回路板上には発光ダイオードが設けられており、該発光ダイオードは曲折して該スロット付近に近隣しており、該回路板上には探知器が設けられており、該底部と該回路板との間にはレンズ部が設けられており、該レンズ部には二つの一体成型による第一レンズ及び第二レンズを含み、該第二レンズは直角を呈して配列されており、該第一レンズは該発光ダイオードに対応しており、よって該第二レンズは該探知器の受信部に対応して設けられているのであり、よって該発光ダイオードが発する光のシグナルが机の表面などの反射面から該第二レンズまで屈折すると、該探知器の受信部にまで伝送される仕組みとなっている。
【特許文献１】特開平０６−２３７２０５号公報
【考案の開示】
【考案が解決しようとする課題】
【０００４】
　上述のような公知における光学マウスにおいて、該発光ダイオードの発する光源には第一レンズ及び机の表面などの反射面、更に第二レンズなどのパーツがあって探知器に伝送されるのであり、また光源が光学マウスに対して効果的な光源であるかどうかが重要なポイントであるが、発光ダイオードによる光源の提供における大きな欠点として、屈折や反射を経て光源が散光してしまうことがあり、これに伴って探知器が安定した伝送を行えないといった問題が出てくる。
　そこで伝送を安定させ、使用上の便利性を高めるべく、本考案の光学マウスの構造を提供する。
【課題を解決するための手段】
【０００５】
　上蓋と底部による外殻、並びに該外殻内に固定される回路板、及び該底部１２に設置されるレンズセットにより構成し、該底部上には穿孔を設け、該回路板には受信部を具有する探知器を設け、該探知器の片端へVCSELを隣接して設け、該VCSELと該探知器の受信部と同一面に設けており、該底部へ設けるレンズセットは凸レンズを有しており、該凸レンズの隣接する個所へ屈折部への通り道を設け、該凸レンズ上下両端面はそれぞれ該受信部と穿孔に対応させ、該通り道の片端の開口部はVCSELに対応させ、該VCSELが発射されて屈折した後の光源を更に集中させる。　
　すなわち、本考案の光学マウスの構造は、以下に述べる特徴を有する。
１．外殻と回路板とレンズセットとにより構成される光学マウスの構造において、
　上蓋と穿孔が設けられた底部とから構成される該外殻と、
　該外殻内に固定されており、該穿孔に対応した受信部を具有する探知器が設けられており、該探知器の片側に設けるVCSEL（Vertical　Cavity　Surface　Emitting　Laser）が隣接して設けられている回路板と、
　該外殻の底部上に設置されており、且つ上下両端面はそれぞれ該探知器の受信部と穿孔と相対した状態を呈しており、且つVCSELを設け、凸レンズを具有するレンズセットと、
　該凸レンズに隣接し、中央部へ屈折部を設け、且つ片端はVCSELと相対した状態を呈しする通り道と、
　を具有することを特徴とする。
２．前記レンズセットと穿孔間へ阻隔層を設けることを特徴とする。
３．前記阻隔層はガラス素材であることを特徴とする。
【考案の効果】
【０００６】
　本考案によるとVCSELの屈折や反射後に散光しない極性を具有する特性を生かし、更に伝送が安定して使用上の便利性を高めることに成功した。
【考案を実施するための最良の形態】
【０００７】
　図１、２に示すように、本考案は主に外殻１と回路板２とレンズセット３とを含み、該レンズセット３によってVCSEL（Vertical Cavity Surface Emitting Laser）２２から照射される光を屈折させた後の光源を、更に集中させるものである。
　該外殻１には上蓋１１と底部１２とを含み、該底部１２上には穿孔１２１が設けられている。
　該回路板は該外殻１内に固定されており、該回路板２には受信部２１１を具有する探知器２１及び該光学マウスを操作及び演算させる電子部品（図中なし）が設けられている。該探知器２１の片側に設けるVCSEL２２は隣接して設けられているのであり、該探知器２１の受信部２１１は該穿孔１２１に対応した個所に位置している。
　該レンズセット３は該外殻１の底部１２上に設けられており、該レンズセット３上は凸レンズ３１となっており、通り道３２は該凸レンズ３１へ隣接して設けられているのであり、該通り道３２の片側中央部に屈折部３２１を具有し、該凸レンズ３１の上下両端面それぞれ該探知器２１の受信部２１１及び穿孔１２１に相対した状態を呈している。該通り道３２の片端は該VCSEL２２と相対しており、
　また、該レンズセット３と穿孔１２１の間へ阻隔層４を設けることもでき、該阻隔層４はガラス、透明なプラスチック又は透明媒質なものでできており、VCSEL２２のレザー光線が反射面５（机の上やマウスパッドなど）を照らす。このとき該阻隔層４が静電気の防止効果を達成する。
【０００８】
　図３に示すように、本考案の反射ルートにおいては、該VCSEL２２が発射する光源シグナルが該レンズセット３の通り道３２の片面より入り込むとき、該光源シグナルは該通り道３２の開口部に沿って通り道３２へ入り込む、該光源シグナルは該通り道３２の片側中央部の屈折部３２１は通り道３２の別の一端の開口部にて屈折し、該光源シグナルは該穿孔１２１を通過して反射面５（机の上やマウスパッドなど）にて屈折する。このとき該光源シグナルは該VCSEL２２の特性より上方に反射されて、該光源シグナルは穿孔１２１の中の凸レンズ３１で更に集中し、該光源シグナルが該凸レンズ３１の下端面より上端面に向かって直接照射し、最後に該光源シグナルは探知器２１の受信部２１１にて受信され、こうして該VCSEL２２の極性を有する光がその極性によって該レンズセット３に照射される。
【図面の簡単な説明】
【０００９】
【図１】本考案における立体分解図である。
【図２】本考案における断面図である。
【図３】本考案における反射ルート説明図である。
【符号の説明】
【００１０】
　１　外殻
　１１　上蓋
　１２　底部
　１２１　穿孔
　２　回路板
　２１　探知器
　２２　VCSEL（Vertical Cavity Surface Emitting Laser）
　２１１　受信部
　３　レンズセット
　３１　凸レンズ
　３２　通り道
　３２１　屈折部
　４　阻隔層
　５　反射面
【図１】
0003099327.tif 000003
【図２】
0003099327.tif 000004
【図３】
0003099327.tif 000005